(57)【要約】      （修正有）【課題】使用済みペットボトルの有効利用を可能にするペットボトル用カートリッジを提供する。【解決手段】カートリッジ本体部１２に、収納空間２２に収納された茶葉から滲出した緑茶のみを流出させる孔３２を有する上壁１６を設けるとともに、カートリッジ本体部１２の側壁２０の上部に、ペットボトル４０の飲み口４２の内周面４４と水密に接触する密着部３４が設けられた茶漉しカートリッジ１０を提供する。茶漉しカートリッジ１０はペットボトル４０の飲み口４２に水密に装着できるため、緑茶を飲むためにペットボトル４０を傾けても孔３２以外のところから緑茶がこぼれることがなく、また茶漉しカートリッジ１０がペットボトル４０から外れることもない。【選択図】図３
0003164016.tif 000002
【実用新案登録請求の範囲】
【請求項１】
キャップ付きペットボトルの飲み口に装着するペットボトル用カートリッジであって、
前記飲み口から前記ペットボトルの内部に挿入される中空のカートリッジ本体部と、前記カートリッジ本体部の上端に設けられ、前記カートリッジ本体部を前記ペットボトルの内部に挿入する際に前記飲み口と干渉するストッパー部を備え、
前記カートリッジ本体部が、前記飲み口の内周面と水密に接触する密着部を外周面に備えた、ペットボトル用カートリッジ。
【請求項２】
前記カートリッジ本体部が、中空内部に収納された茶葉の成分を前記ペットボトルに満たされた液体に滲出させるための孔が形成された側壁と、前記ペットボトル内の液体を前記飲み口から流出させるための孔が形成された上壁を備えた、請求項１に記載のペットボトル用カートリッジ。
【請求項３】
前記カートリッジ本体部が、水密にされた中空内部に、発光手段と、前記発光手段に電力を供給する電源と、前記発光手段への通電および遮電を制御する磁気スイッチ、を含む照明装置を備えた、請求項１に記載のペットボトル用カートリッジ。
【考案の詳細な説明】
【技術分野】
【０００１】
本考案は、使用済みペットボトルの有効利用を可能にするペットボトル用カートリッジに関する。
【背景技術】
【０００２】
ペットボトルは、その携帯性の良さと意匠性の高さから、現在、飲料水等の販売用容器として広く用いられている。一度開封したら閉めることができない缶や紙パックの容器と違い、キャップでの開け閉めが可能であるため、中身を飲み終えた後も別の飲料を充填して再利用されることも多い。例えば特許文献１および特許文献２には、ペットボトルの再利用を目的としたカートリッジが紹介されている。このカートリッジはペットボトルの飲み口に装着して使用するものであり、カートリッジに充填された茶葉をペットボトルに満たされた水に浸しておくことで、緑茶や紅茶などを簡単に作ることができるようになっている。またペットボトルの透明性に着目し、簡易ランタンとして再利用する技術が特許文献３に紹介されている。
【先行技術文献】
【特許文献】
【０００３】
【特許文献１】実用新案登録第３０１７５３４号公報
【特許文献２】実用新案登録第３０８３３６８号公報
【特許文献３】特開２００２−８３５０１号公報
【考案の概要】
【考案が解決しようとする課題】
【０００４】
ペットボトルは、キャップを外せばすぐに中身の飲料を飲むことができるという手軽さがよいのであるが、特許文献１および特許文献２に開示されたカートリッジは飲み口を完全に塞ぐようになっているため、中身を飲む際にはカートリッジを飲み口から一旦取り外さなければならず、煩わしく、また茶葉やカートリッジに付着した水分が垂れ落ちることがあり、使い勝手の点で多少の不便が生じる。
一方、特許文献３に開示された簡易ランタンは、飲み口の外周のねじ溝を利用して照明装置を取り付けるようになっているため、ペットボトルを簡易ランタンとして使用しているときにはキャップは別の場所に保管しておかなければならず、同じペットボトルを飲料容器として再利用したい場合にキャップがすぐに用意できないという問題がある。
本考案は、前述した課題のうち少なくとも何れかの課題を解決し得るペットボトル用カートリッジを提供するものである。
【課題を解決するための手段】
【０００５】
本考案は、キャップ付きペットボトルの飲み口に装着するペットボトル用カートリッジであって、前記飲み口から前記ペットボトルの内部に挿入される中空のカートリッジ本体部と、前記カートリッジ本体部の上端に設けられ、前記カートリッジ本体部を前記ペットボトルの内部に挿入する際に前記飲み口と干渉するストッパー部を備え、前記カートリッジ本体部が、前記飲み口の内周面と水密に接触する密着部を外周面に備えた、ペットボトル用カートリッジを提供する。
【０００６】
ストッパー部は、ペットボトル用カートリッジがペットボトルの内部に落ち込まないように飲み口に係止する機能を有している。ストッパー部の形状は特定のものに限定はされないが、飲み口との内径より大きく、外径より小さいか同程度の円形状であれば、十分に係止機能を発揮することができるし、キャップの開け閉めの際の障害にもらない。密着部は、ペットボトルを傾けても、内容物がこぼれないように水密性を確保する機能とともに、ペットボトル用カートリッジがペットボトルから外れないように固定する機能を有している。
【０００７】
本考案のペットボトル用カートリッジは、前記カートリッジ本体部が、中空内部に収納された茶葉の成分を前記ペットボトルに満たされた液体に滲出させるための孔が形成された側壁と、前記ペットボトル内の液体を前記飲み口から流出させるための孔が形成された上壁を備えたものとして構成することができる。
【０００８】
このペットボトル用カートリッジは、ペットボトルに装着したまま上壁の孔から茶葉の滲出液を流出させることができるため、飲用者はペットボトル用カートリッジを取り外さずにそのまま茶葉の滲出液を飲むことができる。ペットボトル用カートリッジと飲み口は密着部によって水密性が確保されているため、飲用の際にペットボトルを傾けても孔以外のところから茶葉の滲出液がこぼれることはない。
【０００９】
本考案のペットボトル用カートリッジは、前記カートリッジ本体部が、水密にされた中空内部に、発光手段と、前記発光手段に電力を供給する電源と、前記発光手段への通電および遮電を制御する磁気スイッチ、を含む照明装置を備えたものとして構成することができる。
【００１０】
このペットボトル用カートリッジは、水密性を確保できるように磁気スイッチを採用し、ペットボトルに装着した状態でペットボトルの外側から磁力を作用させることで磁気スイッチを制御することができる。ペットボトルに充填する液体の種類や色を変えることで光の屈折率の変化や色彩の変化を楽しむことができる。また飲用可能な液体を充填しておけば、ペットボトル用カートリッジを取り外して液体を飲用することで喉を潤すこともできる。
【考案の効果】
【００１１】
ペットボトル用カートリッジをカートリッジ本体部に茶葉を収納した態様で使用すれば、緑茶や紅茶などを簡単に作ることができ、またペットボトル用カートリッジを取り外さずにそのまま飲むことができるので、ペットボトルが持つ利便性を損なうことなく飲料容器として再利用することができる。
また照明装置を収納した態様で使用すれば、ペットボトルが持つ優れた意匠性を生かした簡易ランタンとして再利用することができる。
【図面の簡単な説明】
【００１２】
【図１】ペットボトル用カートリッジの一態様である茶漉しカートリッジの斜視図
【図２】同茶漉しカートリッジをペットボトルに装着した状態を示す斜視図
【図３】同茶漉しカートリッジをペットボトルに装着した状態を示す縦断面図
【図４】同茶漉しカートリッジの使用状態を示す斜視図
【図５】ペットボトル用カートリッジの一態様であるＬＥＤカートリッジの斜視図
【図６】同ＬＥＤカートリッジを利用した簡易ランタンのスイッチ構造を示す説明図
【図７】同ＬＥＤカートリッジを利用した簡易ランタンのスイッチ構造を示す説明図
【図８】同ＬＥＤカートリッジを利用した簡易ランタンの使用状態を示す斜視図
【考案を実施するための形態】
【００１３】
最初に、ペットボトル用カートリッジの第１の実施形態である茶漉しカートリッジの構造について図１乃至図４を参照して説明する。茶漉しカートリッジ１０はカートリッジ本体部１２とストッパー部１４で構成されている。カートリッジ本体部１２は、円形の上壁１６と下壁１８、円筒形の側壁２０で構成され、これらの壁に囲まれた中空内部に収納空間２２が形成されている。側壁２０は分離線２４の位置で上下に分割されている。上側の側壁２０の下部に形成された凹部２６と下側の側壁２０の上部に形成された凸部２８が係合することで上下の側壁２０が連結し、収納空間２２が閉鎖される。凹部２６と凸部２８の係合を解除すると、側壁２０が分離線２４の位置で上下に分離し、収納空間２２が開放される。
【００１４】
側壁２０には内外に貫通する孔３０が複数設けられている。また上壁１６にも同様の孔３２が設けられている。これらの孔３０、３２は一般的な急須に設けられた茶漉し用の孔と同程度の大きさと間隔で設けられている。側壁２０の上部は他の部分より外径の大きな密着部３４となっている。密着部３４は、茶漉しカートリッジ１０をペットボトル４０に装着したときに飲み口４２の内周面４４と密着する。
【００１５】
側壁２０の上端には鍔状に張り出す円形のストッパー部１４が設けられている。ストッパー部１４の径は飲み口４２の内径より大きくキャップ４６の内径より小さい。このため、茶漉しカートリッジ１０をペットボトル４０に装着する際にストッパー部１４が飲み口４２と干渉するため、茶漉しカートリッジ１０がペットボトル４０の内部に落下することはない。また、茶漉しカートリッジ１０をペットボトル４０に装着した状態でもキャップ４６を閉めることができる。ただしストッパー部１４に厚みがありすぎるとキャップ４６の閉めが甘くなるため、できるだけ薄くする必要がある。
【００１６】
次に、茶漉しカートリッジ１０の使用方法について参照して説明する。茶漉しカートリッジ１０は緑茶や紅茶などの各種茶葉や粗挽きしたコーヒー豆などの滲出に適している。ここでは緑茶の茶葉４８が収納空間２２に充填されている。茶葉４８は茶漉しカートリッジ１０を上下に分割することで簡単に充填することができる。茶葉４８を充填した茶漉しカートリッジ１０は水が満たされたペットボトル４０に装着する。側壁２０に設けられた孔３０を通って収納空間２２に進入した水が茶葉４８を浸し、茶葉４８から滲出した成分が孔３０を通ってペットボトル４０内に広がることで緑茶が出来上がる。茶葉４８の種類によっては水の代わりにお湯を満たしておく方が良い場合もある。
【００１７】
緑茶を飲むときはコップに注ぐか、もしくは飲み口４２に直接口をつけて飲むこともできる。茶葉４８は茶漉しカートリッジ１０の上壁１６によって堰き止められ、孔３２からは緑茶のみが流出する。茶漉しカートリッジ１０はペットボトル１０を傾けてもずれたり外れたりすることがなく、装着したまま緑茶を飲むことができる。
【００１８】
次に、ペットボトル用カートリッジの第２の実施形態であるＬＥＤカートリッジの構造について図５を参照して説明する。ＬＥＤカートリッジ５０は茶漉しカートリッジ１０と同じくカートリッジ本体部５２とストッパー部５４で構成されている。このうちストッパー部５４は茶漉しカートリッジ１０のストッパー部１４と同一の構造である。カートリッジ本体部５２は、円形の上壁５６と下壁５８、円筒形の側壁６０で構成され、これらの壁に囲まれた内側に収納空間６２が形成されている。茶漉しカートリッジ１０と異なり上壁５６と側壁６０には孔が設けられておらず、収納空間６２は水密に形成されている。
【００１９】
収納空間６２には、ＬＥＤ６４、ＬＥＤ６４の電源となる電池６６、電池６６からＬＥＤ６４への通電および遮電を制御する磁気スイッチ６８が収納されてる。ＬＥＤ６４は下壁５８から下方に突出するように設けられた防水カバー７０の内側に収納されてる。磁気スイッチ６８は、ＬＥＤカートリッジ５０をペットボトル４０に装着したときに、飲み口４２の下の部分と同じ高さになるように配置されている。また飲み口４２の横断面の中心から偏心した位置に配置されている。
【００２０】
次に、ＬＥＤカートリッジ５０を利用した簡易ランタンについて図６乃至図８を参照して説明する。簡易ランタン８０はペットボトル４０にＬＥＤカートリッジ５０を装着したものである。ここではＬＥＤカートリッジ５０の下部に着脱式の茶漉しカートリッジ８２が装着されている。茶漉しカートリッジ８２はペットボトル４０を簡易ランタンとしてだけではなく飲料容器としても併用する場合に選択的に装着することができる。
【００２１】
磁気スイッチ６８は内蔵された磁気センサによって磁力の変化を検出し、電源のＯＮ／ＯＦＦ制御を行う。ペットボトル４０の飲み口４２の下の部分の外周には磁気レバー８４が取り付けられている。磁気レバー８４は弧状部８６と環状部８８からなり、弧状部８６と環状部８８の連結部に磁石９０が取り付けられている。弧状部８６は飲み口４２の外周を把持するように取り付けられている。環状部８８はペットボトル４０から取り外したキャップ４６を嵌め込んで保持できるようになっている。磁気レバー８４は飲み口４２を中心として回転可能であり、回転位置によって磁石９０の位置を変えることができる。図７ａのように磁石９０が磁気スイッチ６８の近くにあるときには、磁気スイッチ６８は電源ＯＮ制御を行い、ＬＥＤが点灯する。そして図７ｂ、図７ｃのように磁気スイッチ６８から遠ざかった位置にあるときには、磁気スイッチ６８は電源ＯＦＦ制御を行い、ＬＥＤが消灯する。
【００２２】
ペットボトル４０は茶漉しカートリッジ８２に収納された茶葉９２から滲出した緑茶で満たされており、ＬＥＤを点灯させると緑茶の鮮やかな緑色に照らし出された簡易ランタン８０として使用することができる。簡易ランタン８０を例えば枕元などに置いておけば、消灯後に手元を照らして簡単な作業を行うのに大変便利であり、さらには緑茶で喉を潤すこともできる。
【符号の説明】
【００２３】
１０  茶漉しカートリッジ
１２  カートリッジ本体部
１４  ストッパー部
１６  上壁
２０  側壁
２２  収納空間
３０、３２  孔
３４  密着部
４０  ペットボトル
４２  飲み口
４４  内周面
５０  ＬＥＤカートリッジ
５２  カートリッジ本体部
５４  ストッパー部
６２  収納空間
６４  ＬＥＤ
６６  電池
６８  磁気スイッチ
８０  簡易ランタン  
【図１】
0003164016.tif 000003
【図２】
0003164016.tif 000004
【図３】
0003164016.tif 000005
【図４】
0003164016.tif 000006
【図５】
0003164016.tif 000007
【図６】
0003164016.tif 000008
【図７】
0003164016.tif 000009
【図８】
0003164016.tif 000010